(57)【要約】【課題】  安価で、丈夫で、長期間にわたって見栄えのよい通交止め用ロープを提供することを目的とする。【解決手段】  ロープ１の両端部を円滑に曲げ返して、コーン２の上端部が差込まれるループ３を形成し、このループ３からロープの中央部側に重複させたロープ１の部分を粘着テープ４で結束する。これによれば、簡単な工程で製造できる上、構成が簡単で安価になり、しかも、粘着テープ４により長期間にわたりロープ１の端部のほぐれが防止される結果、丈夫になり、長期間にわたり良好な見栄えを保持することができる。【選択図】図１
2008014114.tif 000002
【特許請求の範囲】
【請求項１】
ロープの両端部を円滑に曲げ返して、コーンの上端部が差込まれるループを形成し、重複させたロープの部分を粘着テープで結束したことを特徴とする通交止め用ロープ。
【発明の詳細な説明】
【技術分野】
【０００１】  本発明は車両や歩行者の通行を誘導するためにコーン（パイロンとも呼ばれる。）の間に張り渡される通行止め用ロープに関する。
【背景技術】
【０００２】  車両や歩行者の通行を誘導するために、地面に適当な間隔を置いて複数のコーンを配置し、隣接するコーンの間に例えばプラスチック製ロッドが架設されることが多いが、このロッドは歩行者などに対して威圧感を与える上、周囲の状況に応じてコーンの間隔を変化させることができない。【０００３】  このような問題を解決するために、例えば後掲する特許文献１に記載されているように、ロッドに代えて、繊維を撚り合わせたストランドを更に撚り合わせたロープとその両端に連結された本体を備える通行止め用ロープを用いることが提案されている。【０００４】  この従来の通行止め用ロープでは、この本体の構造が複雑であるうえ、ロープと本体を連結する工程も複雑であるため、通行止め用ロープ全体が高価になるという問題がある。【０００５】  又、本体に対してロープがねじられたり、ロープが強く引っ張られると、ロープを構成するストランドの撚り合わせがほどかれ、ロープが本体から抜け落ちたり、本体の近傍でロープの見栄えが悪くなったりするという問題もある。【０００６】  前記本体を備えていない、いわば生のロープの端部をコーンの先端部に巻付けるように結わえることもあるが、この場合には、ロープの先端部においてストランドや繊維の撚り合わせがほどけて見栄えが悪くなるという問題がある。
【特許文献１】  特開２００１−９８５１６号公報
【発明の開示】
【発明が解決しようとする課題】
【０００７】  本発明は、安価で、丈夫で、長期間にわたって見栄えがよい通行止め用ロープを提供することを目的とするものである。
【課題を解決するための手段】
【０００８】  この目的を達成するため、本発明に係る通行止め用ロープは、ロープの両端部を円滑に曲げ返して、コーンの上端部が差込まれるループを形成し、ロープの部分を粘着テープで結束したことを特徴とする、という技術的手段を採用する。【０００９】  これによれば、構成が簡単で安価になるうえ、ロープの端部においてストランドや、ストランドを構成する繊維の撚りがほどけることが長期間にわたり粘着テープにより防止されるので、丈夫で、しかも、長期間にわたり良好な見栄えを保持することができる。
【発明の効果】
【００１０】  以上に説明したように、本発明は、ロープの両端部を円滑に曲げ返して、コーンの上端部が差込まれるループを形成し、このループからロープの中央部側に重複させたロープの部分を粘着テープで結束したことを特徴とするという技術的手段を採用するので、本発明によれば、構成が簡単で安価になる効果や、粘着テープにより長期間にわたりロープ端部の解れが防止される結果、丈夫になる効果や、長期間にわたり良好な見栄えを保持することができるという効果を得ることができる。
【発明を実施するための最良の形態】
【００１１】  本発明を実施するための最良の形態を図面に基づいて具体的に説明すると以下の通りである。【００１２】  図面において、図１は本発明の一実施例に係る通行止め用ロープの平面図であり、図２はこの通行止め用ロープを用いる通行止め柵の斜視図であり、図３は本発明の他の実施例に係る通行止め用ロープの平面図であり、図４は本発明の又他の実施例に係る通行止め用ロープの平面図である。【００１３】  図１に示すように、本発明の一実施例に係る通行止め用ロープは、適当な長さのロープ１の両端部を円滑に曲げ返して、コーン２の上端部が差込まれるループ３を形成し、このループ３からロープ１の中央部側で重複するロープ１の部分を粘着テープ４で結束したものであり、きわめて簡単な工程で、安価なロープ１と粘着テープ４を用いて、安価に製造される。【００１４】  前記ロープ１は、例えば合成樹脂繊維を撚り合わせた例えば３本のストランド５〜７を撚り合わせたものであり、３本のストランド５〜７のうち２本のストランド５、６は黄色に、残りの１本のストランド７は黒色に着色してある。【００１５】  前記粘着テープ４は、例えば幅方向に黄色と黒色に色分けされた合成樹脂テープの片面に粘着材を積層したものであり、ループ３からロープ１の中央部側に重複させたロープ１の部分と、曲げ返したロープ１の先端８から更にロープ１の中央部側にわたって、連続して螺旋させながらタイトに巻付ける。【００１６】  もっとも、前記粘着テープ４は、少なくとも曲げ返したロープ１の重複させた部分のループ３側の端部とを結束するように、好ましくは、これに加えて、ロープ１の先端部８を結束するように巻つけてあればよく、その間で連続していることは本発明に必須のことではない。【００１７】  また、ロープ１の重複部分よりも更にロープ１の中央側に延びる部分に前記粘着テープ４を巻きつけることも本発明に必須のことではないが、これにより、曲げ返したロープ１の先端８が粘着テープ４で隠されることになり、ロープ１の端部においてストランド５〜７やこれらを構成する繊維の撚りがほどけることを確実に防止することができ、又、見栄えも更によくなる。【００１８】  なお、この粘着テープ４のループ３側の端部には、ループ３が広がることを確実に防止するために、粘着テープ９をロープ１の中心線と直角方向に重ねて巻きつけている。【００１９】  図２に示すように、この通行止め用ロープは、例えば地面に適当な間隔をおいて配置された１対のコーン２の上部にそれぞれ端部のループ３を差込むことにより、これらのコーン２の間に張り渡される。【００２０】  コーン２の間隔及び通行止め用ロープの長さは特に限定されず、例えば数十ｃｍないし３ｍの範囲で自由に設計することができ、倒れ難いコーン２の場合には３ｍよりも長くすることができる。【００２１】  もちろん、ロープ１の太さも特に限定されないが、人目につき難くなるほどに細すぎることは好ましくなく、又、特別の目的がない限り、威圧感を与える程に太くすることも好ましくない。【００２２】  コーン２の間に張り渡された通行止め用ロープは、中央部が自重で垂下って、下に突な円弧形状になり、外観から安定感や安心感を感得することができると共に、柔軟性や心理的な暖かさを感得でき、見た目に優しく感じられる。【００２３】  加えて、ロッドのように威圧感や冷酷な感じを与えることはないので、通行の誘導に対する反感が著しく大幅に薄められ、通行止めなどの誘導に対する歩行者や車両の協力を得ることがすこぶる容易になる。【００２４】  この通行止め用ロープをコーン２の間に張り渡した後、周囲の状況に臨機応変に対応して、コーン２の間隔を狭めることにより簡単に通行止めを解除したり、通行止めの区間を短くしたりすることができ、更にこの後、コーン２の間隔を元に戻すことにより簡単に元の通行止め区間にわたる通行止めを再開することができる。【００２５】  又、一方のコーン２からループ３を抜取り、他方のコーン２に両端のループ３を差込むことによっても通行止めを簡単に解除することができ、更にこの後、一方のループ３を他方のコーン２から一方のコーン２に差替えることにより簡単に通行止めを復元することができる。【００２６】  もちろん、保管時、運搬時など不使用時には、ロープ１をまとめて場所を取らないようにすることができる。【００２７】  図３に示す本発明の他の実施例に係る通行止め用ロープ１では、ロープ１の端部を３６０°曲げ返すことにより、２重のループ３が形成されている。【００２８】  必要に応じて、この２重のループ３に粘着テープを巻付けてもよい。【００２９】  この実施例のその他の構成、作用ないし効果は前記本発明の１実施例のそれらと同様である。【００３０】  なお、本発明において、ループ３を３重以上の多重のループ３に形成することは自由であり、ロープ１の中間における任意の位置に別のコーン２に差込む中間ループを形成することも自由である。【００３１】  図４に示す本発明の又他の実施例に係る通行止め用ロープにおいては、ロープ１の両端部が２７０°曲げ返され、重複させたほぼ９０°の部分と、ロープ１の先端８から更に２０°程度先の部分に粘着テープ４が巻き付けてある。【００３２】  この実施例のその他の構成、作用ないし効果は、前記本発明の一実施例のそれらと同様である。
【図面の簡単な説明】
【図１】  本発明の平面図である。
【図２】  本発明の使用状態を示す斜視図である。
【図３】  本発明の平面図である。
【図４】  本発明の平面図である。
【符号の説明】
１  ロープ
２  コーン
３  ループ
４  粘着テープ
【図１】
2008014114.tif 000003
【図２】
2008014114.tif 000004
【図３】
2008014114.tif 000005
【図４】
2008014114.tif 000006